(57)【特許請求の範囲】
【請求項１】
光源装置から発し、液晶表示パネルの背面の外側に近接配置された導光板の光入射端面から内部に導光された光が、該導光板の裏面に該光の導光方向に直交する鋸歯状に設けられたプリズムアレイで反射して該液晶表示パネルの背面から照明する面照明装置であって、
該導光板は、表裏両面に第一と第二のプリズムアレイとを有し、背向配置された二つの第一と第二の液晶表示パネルのそれぞれの背面に該第一と第二のプリズムアレイが対面して挟設されており、
該第一のプリズムアレイで反射した光は該第二の液晶表示パネルを照明し、該第二のプリズムアレイで反射した光は該第一の液晶表示パネルを照明する
ことを特徴とする面照明装置。
【請求項２】
前記液晶表示パネルの背面と導光板との間に拡散シートが介在している
ことを特徴とする請求項１記載の面照明装置。
【請求項３】
前記液晶表示パネルの背面と導光板との間にレンズシートが介在している
ことを特徴とする請求項１記載の面照明装置。
【請求項４】
前記導光板の少なくとも一方のプリズムアレイが照射する液晶表示パネルの大きさに対応して局在している
ことを特徴とする請求項１記載の面照明装置。
【請求項５】
光源装置から発し、液晶表示パネルの背面の外側に近接配置された導光板の光入射端面から内部に導光された光が、該導光板の裏面に該光の導光方向に直交する鋸歯状に設けられたプリズムアレイで反射して該液晶表示パネルの背面から照明する面照明装置であって、
該導光板は、表側の第三の平面と裏側の第四のプリズムアレイとが、および表側の第三のプリズムアレイと裏側の第四の平面とが対向して偏在しており、該第三と第四の平面のそれぞれが背向配置された第三と第四の液晶表示パネルの背面のそれぞれに対面しているものであり、
該第三のプリズムアレイで反射した光は該第四の平面を通って該第四の液晶表示パネルを照明し、該第四のプリズムアレイで反射した光は該第三の平面を通って該第三の液晶表示パネルを照明する
ことを特徴とする面照明装置。
【請求項６】
該第三のプリズムアレイに対面して第三の反射板が近設されており、該第四のプリズムアレイに対面して第四の反射板が近設されている
ことを特徴とする請求項５記載の面照明装置。
【請求項７】
該第三または第四の液晶表示パネルの一方の表示面積が他方より小さく、かつ該導光板を挟んで少なくとも重合しており、
該一方の表示面積以外の領域に対応するプリズムアレイに対面して第四の反射板が近設されている
ことを特徴とする請求項５記載の面照明装置。
【請求項８】
請求項１または５記載の面照明装置によって背面から照明される
ことを特徴とする液晶表示装置。
【請求項９】
該第一または第二の液晶表示パネルの少なくとも一方と導光板との間、または該第三または第四の液晶表示パネルの少なくとも一方と該導光板との間に拡散板が配設されている
ことを特徴とする請求項８記載の液晶表示装置。
【発明の詳細な説明】
【０００１】
【発明の属する技術分野】
本発明は、フラットディスプレイ装置、特に液晶表示装置などの面照射装置に関する。
【０００２】
【従来の技術】
フラットディスプレイ装置は、フラットな平面の対向する一対の基板上にいろいろな表示機能が集積されている。その表示機能によって液晶表示装置（ＬＣＤ）やプラズマ表示装置（ＰＤＰ）、エレクトロルミネッセンス表示装置（ＥＬ）などがよく知られており、それぞれの用途に応じて実用されている。
【０００３】
ところで、ＰＤＰやＥＬは、自らが発光する能動型のディスプレイ装置であるのに対して、液晶表示装置だけは自ら発光しない受動型のディスプレイ装置である。そのために表示に際しては何らかの照明が必要となる。その照明の仕方は液晶表示パネルの構成によって異なる。
つまり、反射型の液晶表示装置の場合には、少なくとも照明の光源となる外光が入出射する一方の基板は、照明が透過するようにＩＴＯ(Indium Tin Oxide)膜などの透明電極が用いられ、他方の基板は背面が反射鏡面を兼ねて反射率の高い不透明な金属電極などが用いられる。透過型の液晶表示装置の場合には、照明が液晶表示パネルの背面からなされて液晶表示パネルを貫通しなければならず、両方の基板ともＩＴＯ膜などの透明電極で構成される。
【０００４】
反射型の液晶表示装置は大画面のものがパソコンなどに用いられており、照明を外部の自然光のみに頼る場合には昼間は使えるが暗い夜間では使えない。そこで、最近ではフロントライト式と呼ばれる面照明装置を用いて液晶表示装置の目視する前面（フロント側）から照明し、夜間でも使えるようにしている。
一方、透過型の液晶表示装置は、小画面の携帯電話や大画面のパソコン、液晶ＴＶなどに多用されており、照明にはバックライトと呼ばれる面照明装置を用いて液晶表示装置の背面（バック側）から照明できるように、面照明装置が液晶表示パネルの背面に配置された構成になっている。ただし、携帯電話などでは、電池を長持ちさせる目的もあって、バックライトの面照明装置を点灯してないときには前面からの外光によって反射型の液晶表示装置と同様に表示が視認できるように、半透過型の液晶表示装置が用いられるようになっている。
【０００５】
図９はバックライト式面照明装置の概念図であり、面照明装置１０は液晶表示装置３の背面に近接して配置されている。光源装置１には発光ダイオードなどの光源１１が設けられており、光源１１から出た光は、光ガイトパイプ１２を介して光入射端面２３から導光板２に入射する。導光板２は、例えば透明なアクリル系の樹脂からなる。導光板２の内部に導光された破線で示す光は、導光板２の裏面に設けられたプリズムアレイ２４で反射して液晶表示パネル３３の背面から照明する。
【０００６】
面照明装置１０は、厚さ：ｄを高々1.５ｍｍ程度に構成できる。従って、プリズムアレイ２４によって構成された面照明装置１０は、液晶表示装置３全体の厚さを非常に薄くすることができる大きな利点を持っている（例えば、特許文献１参照。）。
ところで、さらに進展した最近の携帯電話においては、ディスプレイ部が本体とヒンジで接続されて折り畳み式になっている。図１０は折り畳み式携帯電話の構成を模式的に示す側断面図である。この携帯電話７は、図１０（Ａ）で示したように、ディスプレイ部７１で本体７２を蓋するように折り畳んで閉成した際でも、着信履歴などの表示が視認できる第一のディスプレイ７３と、図１０（Ｂ）で示したように、本体７２からディスプレイ部７１を開成した際に、機能設定とか電話やメールの送信操作や送信履歴などが表示できる第二のディスプレイ７４とを設けた構成になっている。つまり、ディスプレイ部７１には表裏両面に背中合わせに背向して二つのディスプレイ７３、７４が設けられた構成になっている。
【０００７】
【特許文献１】
特開平１０−２０８５３０号公報（従来の技術、図１）
【０００８】
【発明が解決しようとする課題】
このような折り畳み式携帯電話のディスプレイ部に液晶表示装置を採用した場合には、図１１に模式的に示したように二つの液晶表示パネルが背中合わせに背向配置した構成となる。つまり、携帯電話の表示は、ディスプレイ部７１に第一のディスプレイ７３と第二のディスプレイ７４の二つの液晶表示パネルが表面側と背面側の両側からそれぞれから視認できるように背中合わせに配置された構成になっている。
【０００９】
そのため、二つのディスプレイ７３、７４を背向配置したときの厚さ：Ｄは、二つの面照明装置１０が間に介在しているために大きくなり、ディスプレイ部７１が異常に厚いものになってしまう。そこで、如何に薄型に構成するかが課題となっている。特に、二つの液晶表示パネルをバックライトとして照明する面照明装置を如何に薄型に構成するかが重要な課題となっている。
【００１０】
そこで本発明は、背向配置された二つの液晶表示パネルを一つの面照明装置によって照明できる両面照明可能な面照明装置と、本発明になる面照明装置によって背面から照明される液晶表示パネルによって構成される液晶表示装置を提供することを目的としている。
【００１１】
【課題を解決するための手段】
上で述べた課題は、請求項１において、光源装置から発し、液晶表示パネルの背面の外側に近接配置された導光板の光入射端面から内部に導光された光が、該導光板の裏面に該光の導光方向に直交する鋸歯状に設けられたプリズムアレイで反射して該液晶表示パネルの背面から照明する面照明装置であって、該導光板は、表裏両面に第一と第二のプリズムアレイとを有し、背向配置された二つの第一と第二の液晶表示パネルのそれぞれの背面に該第一と第二のプリズムアレイが対面して挟設されており、該第一のプリズムアレイで反射した光は該第二の液晶表示パネルを照明し、該第二のプリズムアレイで反射した光は該第一の液晶表示パネルを照明するように構成された面照明装置によって解決される。
【００１２】
つまり、光源装置から発した光は、側面から導入したあと導光板の方向に反射し、導光板の光入射端面から導光板の内部に導光するようにしている。この導光板は、液晶表示パネルの背面の外側に近接配置されており、背面から液晶表示パネルを照明するようになっている。
詳しくは、導光板は、表裏両面のそれぞれに、導光された光の導光方向に直交する鋸歯状の第一のプリズムアレイと第二のプリズムアレイが設けられており、第一のプリズムアレイは第一の液晶表示パネル、第二のプリズムアレイは第二の液晶表示パネルにそれぞれ対面するように挟持するようにしている。
【００１３】
そして、第一のプリズムアレイが反射した光は導光板を透過して第二の液晶表示パネルを背面から照明し、第二のプリズムアレイが反射した光は導光板を透過して第一の液晶表示パネルを背面から照明するようにしている。
こうして、例えば、ディスプレイ部が本体に対して折り畳み式の形態電話のディスプレイ部のような、二つの液晶表示パネルが背中合わせに背向配置された構成に対して、一つの導光板によって二つの液晶表示パネルを同時に照明することができる。
【００１４】
次いで、請求項２において、液晶表示パネルの背面と導光板との間に拡散シートが介在している請求項１記載の面照明装置によって解決される。
つまり、導光板の表裏面に設けられた鋸歯状のプリズムアレイの山谷は、例えば、0.２ｍｍピッチと非常に細かい。しかし、この細かいピッチに応じた縞状の照明斑が生じる。そのため、液晶表示パネルの表示の解像度が照明斑によって影響を受ける場合がある。
【００１５】
そこで、照明の斑を除いて均質な表示が得られるように、導光板と液晶表示パネルとの間に拡散シートを介在させ、液晶表示パネルの背面に入射する照明光を拡散させるようにしている。
次いで、請求項３において、液晶表示パネルの背面と導光板との間にレンズシートが介在している請求項１記載の面照明装置によって解決される。
【００１６】
つまり、導光板の表裏面に設けられた鋸歯状のプリズムアレイの山谷のピッチに対応する縞状の照明の斑が液晶表示パネルの表示の解像度が照明斑によって影響を受ける場合がある。
そこで、この照明の斑を除いて均質な表示が得られるように、導光板と液晶表示パネルとの間にレンズシートを介在させ、液晶表示パネルの背面に入射する照明光をレンズによって散乱させるようにしている。
【００１８】
次いで、請求項４において、導光板の少なくとも一方のプリズムアレイが照射する液晶表示パネルの大きさに対応して局在している請求項１記載の面照明装置によって解決される。
つまり、例えば、折り畳み式の携帯電話のような背向する二つのディスプレイの大きさが異なる形態のとき、導光板に設けられたプリズムアレイを照射する液晶表示パネルの大きさに対応して設けるようにしている。そして、導光板から不要な光の出射をできるだけ抑え、効率よく液晶表示パネルのみを照明するようにしている。導光板のプリズムアレイが設けられてない部位に請求項４におけると同様に反射板を設ければさらに効率的である。
【００１９】
次いで、請求項５において、光源装置から発し、液晶表示パネルの背面の外側に近接配置された導光板の光入射端面から内部に導光された光が、該導光板の裏面に該光の導光方向に直交する鋸歯状に設けられたプリズムアレイで反射して該液晶表示パネルの背面から照明する面照明装置であって、該導光板は、表側の第三の平面と裏側の第四のプリズムアレイとが、および表側の第三のプリズムアレイと裏側の第四の平面とが対向して偏在しており、該第三と第四の平面のそれぞれが背向配置された第三と第四の液晶表示パネルの背面のそれぞれに対面しているものであり、該第三のプリズムアレイで反射した光は該第四の平面を通って該第四の液晶表示パネルを照明し、該第四のプリズムアレイで反射した光は該第三の平面を通って該第三の液晶表示パネルを照明するように構成された面照明装置によって解決される。
【００２０】
つまり、光源装置から発した光は、側面から導入したあと導光板の方向に反射し、導光板の光入射端面から導光板の内部に導光するようにしている。この導光板は、液晶表示パネルの背面の外側に近接配置されており、背面から液晶表示パネルを照明するようになっている。
詳しくは、導光板には、表側の第三の平面と裏側の第四のプリズムアレイとが対向するように設け、表側の第三のプリズムアレイと裏側の第四の平面とが対向するように設けるようにしている。そして、該第三と第四の平面のそれぞれが背向配置された二つの第三と第四の液晶表示パネルの背面のそれぞれに対面するようにしている。
【００２１】
そして、第三のプリズムアレイが反射した光は導光板を透過して第四の液晶表示パネルを背面から照明し、第四のプリズムアレイが反射した光は導光板を透過して第三の液晶表示パネルを背面から照明するようにしている。
このように、プリズムアレイで反射した光が導光板から出射する面を平面にすることによって、対向する出射面に設けられたプリズムアレイで再反射することなくより効率よく出射することができる。
【００２２】
次いで、請求項６において、第三のプリズムアレイに対面して第三の反射板が近設されており、該第四のプリズムアレイに対面して第四の反射板が近設されているように構成された請求項５記載の面照明装置によって解決される。
つまり、導光板のプリズムアレイは導光板内を伝搬する光を全て反射する訳ではなく、プリズムアレイの傾斜面に入射した角度によっては透過してしまう。そこで、照明する液晶表示パネルが存在してない領域で、かつプリズムアレイが露呈している領域のプリズムアレイに対面して反射板を設けるようにしている。
【００２３】
そうすると、プリズムアレイから透過してしまった損失光を反射板で反射して導光板に戻し、対向する側に近設された液晶表示パネルを照明することができるので、プリズムアレイを透過した漏れ光を効率よく活用することができる。
次いで、請求項７において、第三または第四の液晶表示パネルの一方の表示面積が他方より小さく、かつ導光板を挟んで少なくとも重合しており、該一方の表示面積以外の領域に対応するプリズムアレイに対面して第四の反射板が近設されているように構成された請求項５記載の面照明装置によって解決される。
【００２４】
すなわち、一般に、導光板の大きさは、表示面積の大きな他方の液晶表示パネルの大きさに見合った大きさである。従って、表示面積が小さく、しかも導光板を介して他方の液晶表示パネルと重合している一方の液晶表示パネルを囲む領域は、導光板が露呈していることになる。
一方、導光板のプリズムアレイは導光板内を伝搬する光を全て反射する訳ではなく、プリズムアレイの傾斜面に入射した角度によっては透過してしまう。そこで、一方の液晶表示パネルの存在してない領域で、かつプリズムアレイが露呈している領域のプリズムアレイに対面して反射板を設けるようにしている。
【００２５】
そうすると、プリズムアレイから透過してしまった損失光を反射板で反射して導光板に戻し、対向する側に近設された他方の液晶表示パネルを照明することができる。その結果、プリズムアレイを透過した漏れ光を効率よく活用することができる。
次いで、請求項７において、請求項１または５記載の面照明装置によって背面から照明されるように構成された液晶表示装置によって解決される。
【００２６】
つまり、一つの導光板を挟んで二つの背向配置された液晶表示パネル、すなわち、請求項１における第一と第二の液晶表示パネルとのそれぞれ、または請求項５における第三と第四の液晶表示パネルとのそれぞれを背面から照明するようになっている。
このように二つの液晶表示パネルを一つの導光板を挟んで背中合わせに背向配置した液晶表示装置は、例えば折り畳み式携帯電話のディスプレイ部に適用すれば、薄型化の要請に適ったものとなる。
【００２７】
最後に、請求項８において、該第一または第二の液晶表示パネルの少なくとも一方と導光板との間、または該第三または第四の液晶表示パネルの少なくとも一方と該導光板との間に拡散板が配設されているように構成された請求項７記載の液晶表示装置によって解決される。
つまり、請求項７における構成において、導光板を挟んで背向配置された二枚の液晶表示パネルの少なくとも一方と導光板との間に拡散板を配設するようにしている。
【００２８】
特に、一方の液晶表示パネルが他方の液晶表示パネルより表示面積が小さく、しかも、重なり合っている場合には、一方の小さい液晶表示パネルと導光板との間に拡散板を配設するようにしている。
そうすると、二つの液晶表示パネルが一つの面照明装置の薄い導光板を挟んで背向配置されているために、一方の液晶表示パネルの表示画像が導光板を通して他方の液晶表示パネルに写し込まれるという不具合を防ぐことができる。
【００２９】
【発明の実施の形態】
図１は本発明の第一の実施例の要部を示す斜視図、図２は第一の実施例の光路を示す模式図、図３は本発明の第二の実施例の模式図、図４は本発明の第三の実施例の模式図、図５は本発明の第四の実施例の模式図、図６は本発明の第五／六の実施例の模式図、図７は本発明の第七の実施例の模式図、図８は本発明の第九の実施例の模式図である。
【００３０】
図中、１は光源装置、２は導光板、３は液晶表示装置、４は拡散板、５はレンズシート、６は反射板、１０は面照明装置、１１は光源、１２は光ガイトパイプ、１３は光ガイドプリズムアレイ、２１は第一のプリズムアレイ、２２は第二のプリズムアレイ、２３は光入射端面、２４は第三のプリズムアレイ、２５は第四のプリズムアレイ、２６は第三の平面、２７は第四の平面、３１は第一の液晶表示パネル、３２は第二の液晶表示パネル  ３３は第三の液晶表示パネル、３４は第四の液晶表示パネル、６１は第三の反射板、６２は第四の反射板である。
〔実施例１〕
図１と図２において、面照明装置１０は、光源装置１と導光板２からなる。光源装置１は導光板２に光を照射するものである。光源１１は導光板２に光を導く光ガイトパイプ１２の端部に付設された例えば発光ダイオードで、光源１１から発した光は光ガイトパイプ１２の側面に設けられた光ガイドプリズムアレイ１３で反射して導光板２の方向に導光される。
【００３１】
光源装置１から導光された光は、導光板２の光入射端面２３にほゞ垂直に導光板２の内部に導光される。この導光板２の表裏両面には、第一のプリズムアレイ２１と第二のプリズムアレイ２２が設けられている。この第一と第二のプリズムアレイ２１、２２のそれぞれのプリズムの形状は、鋸歯状の山と谷の条線が破線で示した光路と直交するようになっている。
【００３２】
この第一と第二のプリズムアレイ２１、２２のプリズムの山から谷の深さは、例えば５〜１０μｍ程度、山と山のピッチは、例えば0.２ｍｍ程度と細かく、面粗さは、例えばＲｙ＝４０ｎｍである。また、光ガイトパイプ１２や導光板２の厚さは、高々1.５ｍｍ程度で、例えばノルボルネン系樹脂を素材とし、超精密加工・転写成形法によって製造する。
【００３３】
導光板２の第一のプリズムアレイ２１には第一の液晶表示パネル３１、第二のプリズムアレイ２２には第二の液晶表示パネル３２が対面するように、導光板２を二つの液晶表示パネル３１、３２で挟持する。光源１１から発した光は、破線の光路で示したように、光ガイトパイプ１２を介して光入射端面２３から導光板２に入射する。そして、第一のプリズムアレイ２１で反射した光によって第二の液晶表示パネル３２を背面から照明し、第二のプリズムアレイ２２で反射した光によって第一の液晶表示パネル３１を背面から照明することができる。
〔実施例２〕
図３において、導光板２の表裏両面に設けられた第一のプリズムアレイ２１と第二のプリズムアレイ２２のそれぞれの山と山のピッチは、高々0.２ｍｍ程度である。ところが、このピッチによって生じる縞状の照明の斑が、第一の液晶表示パネル３１や第二の液晶表示パネル３２の表示品質に影響を及ぼすことが間々起こる。
【００３４】
その場合には、必要に応じて第一のプリズムアレイ２１と第一の液晶表示パネル３１の間、あるいは第二のプリズムアレイ２２と第二の液晶表示パネル３２の間に拡散板４を介在させることによって、照明光を拡散させて縞状の斑の影響を除去することができる。
〔実施例３〕
図４において、導光板２の表裏両面に設けられた第一のプリズムアレイ２１と第二のプリズムアレイ２２のそれぞれの山と山のピッチは、高々0.２ｍｍ程度である。ところが、このピッチによって生じる照明の縞状の斑が、第一の液晶表示パネル３１や第二の液晶表示パネル３２の表示品質に影響を及ぼすことが間々起こる。
【００３５】
その場合には、必要に応じて第一のプリズムアレイ２１と第一の液晶表示パネル３１の間、あるいは第二のプリズムアレイ２２と第二の液晶表示パネル３２の間にレンズシート５を介在させれば、照明光を散乱させて縞状の斑を除去することができる。
〔実施例４〕
図５において、例えば、折り畳み式の携帯電話のように、背向する第一の液晶表示パネル３１と第二の液晶表示パネル３２の二つのディスプレイの大きさが異なる形態での使われ方が少なくない。その場合には、導光板２に設けられた第一のプリズムアレイ２１と第二のプリズムアレイ２２について、第一のプリズムアレイ２１は第二の液晶表示パネル３２の大きさに対応させ、第二のプリズムアレイ２２を第一の液晶表示パネル３１の大きさに対応させる。
【００３６】
こうして、導光板２から出射する不要な光をできるだけ抑えれば、効率よく大きさの異なる第一の液晶表示パネル３１と第二の液晶表示パネル３２のみを照明することができる。
〔実施例５〕
図６において、面照明装置１０では、光源装置１から出射した光が、導光板２の光入射端面２３にほゞ垂直方向に導光板２の内部に導光される。この導光板２には、表側の第三の平面２６と裏側の第四のプリズムアレイ２５とが対向し、表側の第四の平面２７と裏側の第三のプリズムアレイ２４とが対向した構成になっている。
【００３７】
第三の平面２６と第四の平面２７は、光がよく透過するように鏡面状の平滑な平面に仕上がっている。一方、第三のプリズムアレイ２４と第四のプリズムアレイ２５のそれぞれのプリズムの形状は、鋸歯状の山と谷の条線が破線で示した光路と直交するようになっている。また、プリズムの物理的な諸元は、実施例１の第一と第二のプリズムアレイと同様であり、第三と第四の平面２６、２７、および第三と第四のプリズムアレイ２４、２５ともども、例えば、アクリル系樹脂やノルボルネン系樹脂を素材とし、超精密加工・転写成形法によって製造する。
【００３８】
第三の平面２６に対面して第三の液晶表示パネル３３が近設されており、第四の平面２７に対面して第四の液晶表示パネル３４が近接されている。つまり、こゝでは、第三の液晶表示パネル３３と第四の液晶表示パネル３４とは導光板２を挟んで重なり合った構成にはなっていない。
第三の液晶表示パネル３３の照明は、第四のプリズムアレイ２５で反射した光が第四の平面２７から出射して照明し、また、第四の液晶表示パネル３４の照明は、第三のプリズムアレイ２４で反射した光が第三の平面２６から出射して照明するようになっている。
【００３９】
つまり、二つの液晶表示パネル３３、３４が導光板２を挟んで重なり合っていない場合には、液晶表示パネル３３、３４のそれぞれに対面する導光板２の表面を第三、第四の平面２６、２７にして光の透過をよくする。その結果、プリズムアレイによる再度の反射を減少させることができ、効率よく第三、第四の液晶表示パネル３３、３４を照明することができる。
〔実施例６〕
再び図６において、面照明装置１０は、第三のプリズムアレイ２４に対面して第三の反射板６１を近設し、第四のプリズムアレイ２５に対面して第四の反射板６２を近設した構成にする。
【００４０】
この第三および第四の反射板６１、６２は、軽量にするために、箔状のＡｌやプラスチックスの表面にＡｌなどの金属をメタライズしたシートなどを用いることができる。また、第三、第四のプリズムアレイ２４、２５ともに、プリズムの山谷の凹凸は非常に細かいので、近設とはいっても当接して固定した構成にしてもよい。
【００４１】
こうすることによって、第三、第四のプリズムアレイ２４、２５の傾斜面から出射した光のそれぞれを第三、第四の反射板６１、６２で反射して再度導光板２の中に導光し、効率よく第三、第四の液晶表示パネル３３、３４を照明することができる。
〔実施例７〕
図７において、第三の液晶表示パネル３３の表示画像の面積が第四の液晶表示パネル３４の表示画像の面積よりも小さく、しかも導光板２を挟んで重ね合わさった構成になっている。
【００４２】
面照明装置１０の照明する面積は、こゝでは、表面画像の大きな第三の液晶表示パネル３３の大きさに対応している。そのため、面照明装置１０において、第三の液晶表示パネル３３が配設されてない領域は、第三のプリズムアレイ２４が露呈している。
この第三のプリズムアレイ２４が露呈した領域では、第三のプリズムアレイ２４の傾斜面に入射する角度によって照明光の一部が透過してしまい、損失となってしまうことが間々起こる。
【００４３】
そこで、第三の液晶表示パネル３３が配設されてない領域の第三のプリズムアレイ２４に反射板６を近設させる。そうすると、第三のプリズムアレイ２４を透過しか光は反射板６で反射して導光板２の中に再導光し、第四の液晶表示パネル３４を効率よく照明することができる。
〔実施例８〕
図１または図５において、本発明になる一つの面照明装置１０をバックライトとして用いれば、表面または裏両の少なくとも一領域にプリズムアレイ、少なくとも他の領域に平面が設けられた導光板２を挟んで背中合わせに背向配置された二つの第一の液晶表示パネル３１と第二の液晶表示パネル３２、または第三の液晶表示パネル３３と第四の液晶表示パネル３４によって、薄型で照明効率のよい液晶表示装置３を実現できる。
〔実施例９〕
図８において、液晶表示装置３が、第一または第二の液晶表示パネル３１、３２の一方、または該第三または第四の液晶表示パネル３３、３４の一方が、他方よりも表示画面が小さく、かつ導光板２を挟んで重なり合っている場合には、表示画面の小さい一方の画面が表示画面の大きな他方の画面に写ってしまう、いわゆる写り込みを起こす不具合が生じる場合がある。
【００４４】
そこで、第一または第二の液晶表示パネル３１、３２の少なくとも一方と導光板２との間、または第三または第四の液晶表示パネル３３、３４の少なくとも一方と導光板２との間に拡散板４を配設する。
拡散板４は、実施例２においても配設する。しかし、実施例２の場合はプリズムアレイの山と山のピッチによって生じる縞状の照明の斑が表示品質に影響を及ぼす不具合を除くもので、全く作用・効果が異なるものである。
【００４５】
こゝでは、折り畳み式携帯電話のディスプレイ部に背向配設される二つの液晶表示パネルのバックライトとしての面照明装置を指向しながら述べたが、面照明の用途としては種々の変形が可能である。
また、液晶表示装置のバックライトとして用いる際には、導光板から出射した照明光が液晶表示パネルに設けられる偏光板を透過し易い偏光になるように、プリズムアレイの形状寸法には種々の変形が可能である。
【００４６】
【発明の効果】
本発明になる面照明装置によれば、折り畳み式の携帯電話のような背中合わせに背向配設された二つの液晶表示装置などのディスプレイを、一つの面照明装置によって照明することができる。従って、本発明は、今後ますます指向されるディスプレイの薄型化に寄与するところが大である。
【図面の簡単な説明】
【図１】 本発明の第一の実施例の要部を示す斜視図である。
【図２】 第一の実施例の光路を示す模式図である。
【図３】 本発明の第二の実施例の模式図である。
【図４】 本発明の第三の実施例の模式図である。
【図５】 本発明の第四の実施例の模式図である。
【図６】 本発明の第五／六の実施例の模式図である。
【図７】 本発明の第七の実施例の模式図である。
【図８】 本発明の第九の実施例の模式図である。
【図９】 バックライト式面照明装置の概念図である。
【図１０】 折り畳み式携帯電話の構成を模式的に示す側断面図である。
【図１１】 二つの液晶表示パネルを背向配置した構成図である。
【図１２】 二つの液晶表示パネルを背向配置した構成図である。
【符号の説明】
１ 光源装置         １１ 光源                     １２ 光ガイトパイプ
１３ 光ガイドプリズムアレイ
２ 導光板           ２１ 第一のプリズムアレイ
２２ 第二のプリズムアレイ
２３ 光入射端面
２４ 第三のプリズムアレイ
２５ 第四のプリズムアレイ
２６ 第三の平面               ２７ 第四の平面
３ 液晶表示装置     ３１ 第一の液晶表示パネル
３２ 第二の液晶表示パネル
３３ 第三の液晶表示パネル
３４ 第四の液晶表示パネル
４ 拡散板
６ 反射板           ６１ 第三の反射板             ６２ 第四の反射板
１０ 面照明装置
【図１】
0003668730.tif 000002
【図２】
0003668730.tif 000003
【図３】
0003668730.tif 000004
【図４】
0003668730.tif 000005
【図５】
0003668730.tif 000006
【図６】
0003668730.tif 000007
【図７】
0003668730.tif 000008
【図８】
0003668730.tif 000009
【図９】
0003668730.tif 000010
【図１０】
0003668730.tif 000011
【図１１】
0003668730.tif 000012
【図１２】
0003668730.tif 000013